(57)【要約】本発明は、タッチパネルディスプレイ装置、駆動回路及び駆動方法に関する。上記タッチパネルディスプレイ装置は、第1の基板と第2の基板（111）との間に位置し、タッチ感知の段階でタッチ感知電極として使用される共通電極（105）と、タッチ感知の段階で上記共通電極（105）にタッチ検出を実現する第1の信号を供給し、さらに、タッチ感知の段階でゲート線に、薄膜トランジスタ（104）をオフ状態にさせることができるとともに、共通電極（105）とゲート線とからなるコンデンサの充放電量を低減できる第2の信号を供給する、及び／又は、タッチ感知の段階で、さらに、共通電極（105）とデータ線とからなるコンデンサの充放電量を低減できる第3の信号を供給するための駆動回路100とを含む。当該タッチパネルディスプレイ装置、対応する駆動回路、及び駆動方法は、寄生容量タッチ検出に干渉することを低減することができ、タッチ検出の精度を向上させることができる。
2017507436.tif 000002
【特許請求の範囲】
【請求項１】
タッチ感知と表示を実現するためのタッチパネルディスプレイ装置であって、
第1の基板と、
上記第1の基板に対向配置され、上記第1の基板に向いた面にゲート線と、データ線と、薄膜トランジスタとが設置される第2の基板と、
上記第1の基板と第2の基板との間に位置する液晶層と、
上記第1の基板と第2の基板との間に位置し、タッチ感知の段階でタッチ誘起電極として使用される共通電極と、
タッチ感知の段階で上記共通電極にタッチ検出を実現する第1の信号を供給するための駆動回路とを含み、
上記駆動回路は、さらにタッチ感知の段階で、上記ゲート線に、上記薄膜トランジスタをオフ状態にさせることができるとともに共通電極とゲート線とからなるコンデンサの充放電量を低減できる第2の信号を供給する、及び／又は、さらにタッチ感知の段階で、共通電極とデータ線とからなるコンデンサの充放電量を低減できる第3の信号を供給するものであることを特徴とする、タッチパネルディスプレイ装置。
【請求項２】
上記第2の信号と第1の信号は、同一周波数、同位相のパルス信号であることを特徴とする、請求項1に記載のタッチパネルディスプレイ装置。
【請求項３】
上記第2の信号と第1の信号は、同一周波数、同位相、同一幅のパルス信号であることを特徴とする、請求項1に記載のタッチパネルディスプレイ装置。
【請求項４】
上記駆動回路は、上記データ線に上記第3の信号を供給し、上記第3の信号と第1の信号が同一周波数、同位相のパルス信号であることを特徴とする、請求項1に記載のタッチパネルディスプレイ装置。
【請求項５】
上記駆動回路は、上記データ線に上記第3の信号を供給し、上記第3の信号と第1の信号が同一周波数、同位相、同一幅のパルス信号であることを特徴とする、請求項1に記載のタッチパネルディスプレイ装置。
【請求項６】
上記駆動回路とデータ線との間がスイッチにより結合され、上記第3の信号が上記データ線を浮遊状態にさせるように上記スイッチをオフさせる信号であることを特徴とする、請求項1に記載のタッチパネルディスプレイ装置。
【請求項７】
上記第1の信号、第2の信号又は第3の信号は、方形波信号、正弦波信号又は階段信号であることを特徴とする、請求項1に記載のタッチパネルディスプレイ装置。
【請求項８】
上記駆動回路は、さらに、表示の段階で、ゲート線に駆動信号を供給し、データ線に表示信号を供給し、共通電極に共通電圧信号を供給するために用いられることを特徴とする、請求項1に記載のタッチパネルディスプレイ装置。
【請求項９】
上記駆動回路は、
上記共通電圧信号と第1のパルス信号とを発生するための共通電極駆動ユニットと、
複数のゲート線に接続され、上記駆動信号を発生し、さらに、上記第1のパルス信号と同一周波数の第2のパルス信号を発生するためのゲート駆動ユニットと、
複数のデータ線に接続され、表示信号を発生するためのデータ線駆動ユニットと、
上記共通電極駆動ユニットと、ゲート駆動ユニットと、データ線駆動ユニットに接続され、表示の段階で、上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットであって、さらにタッチ感知の段階で、共通電極駆動ユニットを制御して共通電極に第1のパルス信号を供給してタッチ検出を実現し、ゲート駆動ユニットを制御して上記複数のゲート線に上記第1のパルス信号と同位相の第2のパルス信号を供給するためのシーケンス制御ユニットとを含むことを特徴とする、請求項8に記載のタッチパネルディスプレイ装置。
【請求項１０】
上記データ線駆動ユニットは、さらに、上記第1のパルス信号と同一周波数の第3のパルス信号を発生するために用いられ、
上記シーケンス制御ユニットは、さらにタッチ感知の段階で、上記データ線駆動ユニットを制御して複数のデータ線に上記第1のパルス信号と同位相の第3のパルス信号を供給するために用いられることを特徴とする、請求項9に記載のタッチパネルディスプレイ装置。
【請求項１１】
上記駆動回路は、データ線駆動ユニットと複数のデータ線との間に設置されるスイッチをさらに含み、上記データ線駆動ユニットは、上記スイッチがオンする場合に、データ線に画素電圧を表示信号として供給するために用いられ、
上記シーケンス制御ユニットが上記スイッチに接続され、表示の段階で、上記データ線駆動ユニットが上記データ線に画素電圧を供給するように上記スイッチをオンに制御すると共に、タッチ感知の段階で、第3の信号により上記スイッチをオフに制御して、上記データ線を浮遊状態にさせるために用いられることを特徴とする、請求項9に記載のタッチパネルディスプレイ装置。
【請求項１２】
上記駆動回路は、
上記共通電圧信号と第1のパルス信号とを発生するための共通電極駆動ユニットと、
複数のゲート線に接続され、上記駆動信号を発生するためのゲート駆動ユニットと、
複数のデータ線に接続され、表示信号を発生し、さらに、上記第1のパルス信号と同一周波数の第3のパルス信号を発生する、又は、複数のデータ線との間にスイッチにより結合され、上記スイッチをオフに制御する第3の信号を供給するためのデータ線駆動ユニットと、
上記共通電極駆動ユニットと、ゲート駆動ユニットと、データ線駆動ユニットに接続され、表示の段階で、上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットであって、さらにタッチ感知の段階で、共通電極駆動ユニットを制御して共通電極に第1のパルス信号を供給してタッチ検出を実現し、データ線駆動ユニットを制御して上記複数のデータ線に上記第1のパルス信号と同位相の第3のパルス信号を供給する、又は第3の信号により上記スイッチをオフに制御して上記データ線を浮遊状態にさせるためのシーケンス制御ユニットとを含むことを特徴とする、請求項8に記載のタッチパネルディスプレイ装置。
【請求項１３】
上記駆動回路と上記ゲート線は直接に接続されることを特徴とする、請求項1に記載のタッチパネルディスプレイ装置。
【請求項１４】
上記駆動回路は、容量結合により上記ゲート線に接続されることを特徴とする、請求項1に記載のタッチパネルディスプレイ装置。
【請求項１５】
タッチパネルディスプレイ装置を駆動するための駆動回路であって、上記タッチパネルディスプレイ装置は、第1の基板と、上記第1の基板に対向配置され、上記第1の基板に向ける面にゲート線と、データ線と、薄膜トランジスタとが設置される第2の基板と、上記第1の基板と第2の基板との間に位置する液晶層と、上記第1の基板と第2の基板との間に位置し、タッチ感知の段階でタッチ誘起電極として使用される共通電極とを含み、
上記駆動回路は、
タッチ感知の段階で、上記共通電極にタッチ検出を実現する第1の信号を供給するための第1の駆動モジュールと、
タッチ感知の段階で、上記ゲート線に、上記薄膜トランジスタをオフ状態にさせることができるとともに共通電極とゲート線とからなるコンデンサの充放電量を低減できる第2の信号を供給するための第2の駆動モジュールと、及び／又は、タッチ感知の段階で、共通電極とデータ線とからなるコンデンサの充放電量を低減できる第3の信号を供給するための第3の駆動モジュールとを含むことを特徴とする、駆動回路。
【請求項１６】
上記第2の信号と第1の信号は同一周波数、同位相のパルス信号であることを特徴とする、請求項15に記載の駆動回路。
【請求項１７】
上記第2の信号と第1の信号は同一周波数、同位相、同一幅のパルス信号であることを特徴とする、請求項15に記載の駆動回路。
【請求項１８】
上記第3の駆動モジュールは、上記データ線に上記第3の信号を供給し、上記第3の信号と第1の信号が同一周波数、同位相のパルス信号であることを特徴とする、請求項15に記載の駆動回路。
【請求項１９】
上記第3の駆動モジュールは、上記データ線に上記第3の信号を供給し、上記第3の信号と第1の信号が同一周波数、同位相、同一幅のパルス信号であることを特徴とする、請求項15に記載の駆動回路。
【請求項２０】
上記第3の駆動モジュールとデータ線との間がスイッチにより結合され、上記第3の信号が上記データ線を浮遊状態にさせるように上記スイッチをオフさせる信号であることを特徴とする、請求項15に記載の駆動回路。
【請求項２１】
上記第1の信号、第2の信号又は第3の信号は、方形波信号、正弦波信号又は階段信号であることを特徴とする、請求項15に記載の駆動回路。
【請求項２２】
上記第1の駆動モジュールは、さらに表示の段階で共通電極に共通電圧信号を供給するために用いられ、上記第2の駆動モジュールは、さらに表示の段階でゲート線に駆動信号を供給するために用いられ、上記第3の駆動モジュールは、さらに表示の段階でデータ線に表示信号を供給するために用いられることを特徴とする、請求項15に記載の駆動回路。
【請求項２３】
上記駆動回路は、
上記共通電圧信号と第1のパルス信号とを発生するための共通電極駆動ユニットと、
複数のゲート線に接続され、上記駆動信号を発生し、さらに、上記第1のパルス信号と同一周波数の第2のパルス信号を発生するためのゲート駆動ユニットと、
複数のデータ線に接続され、表示信号を発生するためのデータ線駆動ユニットと、
上記共通電極駆動ユニットと、ゲート駆動ユニットと、データ線駆動ユニットに接続され、表示の段階で上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットであって、さらに、タッチ感知の段階で、共通電極駆動ユニットを制御して共通電極に第1のパルス信号を供給してタッチ検出を実現し、ゲート駆動ユニットを制御して上記複数のゲート線に上記第1のパルス信号と同位相の第2のパルス信号を供給するためのシーケンス制御ユニットとを含むことを特徴とする、請求項22に記載の駆動回路。
【請求項２４】
上記データ線駆動ユニットは、上記第1のパルス信号と同一周波数の第3のパルス信号を発生するために用いられ、
上記シーケンス制御ユニットは、さらにタッチ感知の段階で、上記データ線駆動ユニットを制御して複数のデータ線に上記第1のパルス信号と同位相の第3のパルス信号を供給するために用いられることを特徴とする、請求項23に記載の駆動回路。
【請求項２５】
上記駆動回路は、データ線駆動ユニットと複数のデータ線との間に設置されるスイッチをさらに含み、上記データ線駆動ユニットは、上記スイッチがオンする場合に、データ線に画素電圧を表示信号として供給するために用いられ、
上記シーケンス制御ユニットが上記スイッチに接続され、表示の段階で、上記データ線駆動ユニットが上記データ線に画素電圧を供給するように上記スイッチをオンに制御し、タッチ感知の段階で、第3の信号により上記スイッチをオフに制御して、上記データ線を浮遊状態にさせるために用いられることを特徴とする、請求項23に記載の駆動回路。
【請求項２６】
上記駆動回路は、
上記共通電圧信号と第1のパルス信号とを発生するための共通電極駆動ユニットと、
複数のゲート線に接続され、上記駆動信号を発生するためのゲート駆動ユニットと、
複数のデータ線に接続され、表示信号を発生し、さらに上記第1のパルス信号と同一周波数の第3のパルス信号を発生するために用いられる、又は複数のデータ線との間がスイッチにより結合され、上記スイッチをオフに制御する第3の信号を供給するためのデータ線駆動ユニットと、
上記共通電極駆動ユニットと、ゲート駆動ユニットと、データ線駆動ユニットに接続され、表示の段階で、上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットであって、さらにタッチ感知の段階で、共通電極駆動ユニットを制御して共通電極に第1のパルス信号を供給してタッチ検出を実現し、データ線駆動ユニットを制御して上記複数のデータ線に上記第1のパルス信号と同位相の第3のパルス信号を供給する、又は、第3の信号により上記スイッチをオフに制御して上記データ線を浮遊状態にさせるためのシーケンス制御ユニットとを含むことを特徴とする、請求項22に記載の駆動回路。
【請求項２７】
上記第1の駆動モジュールと上記ゲート線は直接に接続されることを特徴とする、請求項1に記載の駆動回路。
【請求項２８】
上記第1の駆動モジュールは、容量結合により上記ゲート線に接続されることを特徴とする、請求項1に記載の駆動回路。
【請求項２９】
タッチパネルディスプレイ装置を駆動するための駆動方法であって、上記タッチパネルディスプレイ装置は、第1の基板と、上記第1の基板に対向配置され、上記第1の基板に向ける面にゲート線と、データ線と、薄膜トランジスタとが設置される第2の基板と、上記第1の基板と第2の基板との間に位置する液晶層と、上記第1の基板と第2の基板との間に位置し、タッチ感知の段階でタッチ誘起電極として使用される共通電極とを含み、
上記駆動方法は、
表示の段階で、複数のゲート線に駆動信号を順次に供給し、データ線に表示信号を供給し、共通電極の複数の電極に共通電圧信号を供給することと、
タッチ感知の段階で、上記共通電極にタッチ検出を実現する第1の信号を供給し、上記共通電極に第1の信号を供給する過程において、さらに、上記ゲート線に、上記薄膜トランジスタをオフ状態にさせることができるとともに共通電極とゲート線とからなるコンデンサの充放電量を低減できる第2の信号を供給する、及び／又は、上記共通電極に第1の信号を供給する過程において、共通電極とデータ線とからなるコンデンサの充放電量を低減できる第3の信号を供給することとを含む駆動方法。
【請求項３０】
上記第2の信号と第1の信号は同一周波数、同位相のパルス信号であることを特徴とする、請求項29に記載の駆動方法。
【請求項３１】
上記第2の信号と第1の信号は、同一周波数、同位相、同一幅のパルス信号であることを特徴とする、請求項29に記載の駆動方法。
【請求項３２】
第3の信号を供給するステップにおいて、上記データ線に上記第3の信号を供給し、上記第3の信号と第1の信号が同一周波数、同位相のパルス信号であることを特徴とする、請求項29に記載の駆動方法。
【請求項３３】
第3の信号を供給するステップにおいて、上記データ線に上記第3の信号を供給し、上記第3の信号と第1の信号が同一周波数、同位相、同一幅のパルス信号であることを特徴とする、請求項29に記載の駆動方法。
【請求項３４】
第3の信号を提供するステップにおいて、供給される第3の信号が上記データ線を浮遊状態にさせることを含むことを特徴とする、請求項29に記載の駆動方法。
【請求項３５】
上記第1の信号、第2の信号又は第3の信号は、方形波信号、正弦波信号又は階段信号であることを特徴とする、請求項29に記載の駆動方法。
【発明の詳細な説明】
【技術分野】
【０００１】
本願は、2013年12月31日に中国専利局に提出した、出願番号が201310753359.1であって、発明の名称が「タッチパネルディスプレイ装置、駆動回路及び駆動方法」である中国特許出願の優先権を主張し、その全ての内容をここに援用する。
【０００２】
本発明はタッチ技術分野に関し、特にタッチパネルディスプレイ装置、駆動回路及び駆動方法に関する。
【背景技術】
【０００３】
タッチパネルは入力媒介として、現時点で、最も簡単、便利、自然なHCI（Human Computer Interaction：ヒューマン=コンピューター・インタラクション ）方式である。
【０００４】
図1を参考すると、従来技術のインセル型タッチパネル(In-cell touchpanel)を有する液晶表示装置を示し、上記液晶表示装置は、下から順に薄膜トランジスタ(TFT：Thin Film Transistor)基板1と、液晶層（Liquid Crystal)2と、カラーフィルター（CF:Color Filter)基板3とを含み、ここで、TFT基板は第1のガラス基板11と、第1のガラス基板11上に位置する薄膜トランジスタ12とを含み、CF基板は下から順に共通電極31と、カラーフィルター32と、タッチパネル33と、第2のガラス基板34とを含む。図1のタッチパネル33は、自己容量型タッチパネルであってもよく、具体的には、自己容量型タッチパネルは、駆動電極又は誘起電極とグランドに形成される容量を検出し、指でタッチパネルにタッチした際に起こる容量変化に基づいて位置検出を行う。
【０００５】
液晶表示装置が実際に表示する際に、液晶表示駆動回路はゲート線を介して薄膜トランジスタ12を１行毎にオンにし、データ線は、ゲート線が薄膜トランジスタをオンにする際にサブ画素毎の画素電極35に画素電圧を供給し、共通電極31に画素電圧が印加される。図2を参照すると、図2には、図1に示す液晶表示装置における一つのサブ画素セルの等価回路図を模式的に示した。画素電極35と共通電極31とが一つの等価容量Clcを形成し、上記等価容量Clcにおいて、電界は液晶層2における液晶分子を通過し、電界の大きさが液晶分子の回転角度の大きさを決定し、液晶分子の回転角度が当該サブ画素を通過する光線の特定の方向での強弱を決定する。
【０００６】
ところが、タッチパネルの軽量薄型化の需要が増すにつれて、従来技術のタッチ表示技術は、共通電極が自己容量タッチ検出の検出電極の機能を兼ねるようになっている。図3に、共通電極の模式図を模式的に示した。上記共通電極は、4行×4列の複数のブロック電極36を含み、各ブロック電極36はいずれも接続線により駆動チップ37に接続されている。上記駆動チップ37は上記複数のブロック電極36を時分割駆動する。即ち、駆動チップ37は、表示の段階で共通電極を表示に必要な電位まで駆動し、タッチ検出の段階で共通電極にタッチ検出信号を供給する。
【０００７】
しかしながら、タッチ検出の段階において、共通電極も複数の寄生容量が発生し、タッチ検出の検出精度に影響してしまう。図4を参照して、図3に示す共通電極を含むタッチ表示装置のサブ画素セルの等価回路図を示した。共通電極がタッチ検出電極として使用されると、共通電極のゲート線に対する寄生容量Cmg、共通電極のデータ線に対する寄生容量Cms、共通電極のスクリーン本体のリードフレームに対する寄生容量Cs等が発生しやい。上記寄生容量の存在がタッチ検出に干渉してしまう。
【発明の概要】
【発明が解決しようとする課題】
【０００８】
本発明が解決する課題は、寄生容量がタッチ検出に干渉することを低減し、タッチ検出の精度を向上させるタッチパネルディスプレイ装置、駆動回路及び駆動方法を提供することにある。
【課題を解決するための手段】
【０００９】
上記課題を解決するために、本発明は、タッチ感知と表示を実現するためのタッチパネルディスプレイ装置を提供し、第1の基板と、上記第1の基板に対向配置され、上記第1の基板に向ける面にゲート線と、データ線と、薄膜トランジスタとが設置される第2の基板と、上記第1の基板と第2の基板との間に位置する液晶層と、上記第1の基板と第2の基板との間に位置し、タッチ感知の段階でタッチ誘起電極として使用される共通電極と、タッチ感知の段階で上記共通電極にタッチ検出を実現する第1の信号を供給するための駆動回路とを含み、上記駆動回路は、さらにタッチ感知の段階で、上記ゲート線に上記薄膜トランジスタをオフ状態にさせることができるとともに共通電極とゲート線とからなるコンデンサの充放電量を低減できる第2の信号を供給するために用いられ、及び／又は、上記駆動回路は、さらにタッチ感知の段階で、データ線に共通電極とデータ線とからなるコンデンサの充放電量を低減できる第3の信号を供給するために用いられる。
【００１０】
好ましくは、上記第2の信号と第1の信号は、同一周波数、同位相のパルス信号である。
【００１１】
好ましくは、上記第2の信号と第1の信号は、同一周波数、同位相、同一幅のパルス信号である。
【００１２】
好ましくは、上記第3の信号と第1の信号は、同一周波数、同位相のパルス信号である。
【００１３】
好ましくは、上記第3の信号と第1の信号は、同一周波数、同位相、同一幅のパルス信号である。好ましくは、上記第3の信号は、上記データ線を浮遊状態にさせる信号である。
【００１４】
好ましくは、上記第1の信号、第2の信号又は第3の信号は、方形波信号、正弦波信号又は階段信号である。
【００１５】
好ましくは、上記駆動回路は、表示の段階で、ゲート線に駆動信号を供給し、データ線に表示信号を供給し、共通電極に共通電圧信号を供給するために用いられる。
【００１６】
好ましくは、上記駆動回路は、上記共通電圧信号と第1のパルス信号とを発生するための共通電極駆動ユニットと、複数のゲート線に接続され、上記駆動信号を発生すると共に、上記第1のパルス信号と同一周波数の第2のパルス信号を発生するためのゲート駆動ユニットと、複数のデータ線に接続され、表示信号を発生するためのデータ線駆動ユニットと、上記共通電極駆動ユニットと、ゲート駆動ユニットと、データ線駆動ユニットと接続され、表示の段階で、上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットとを含み、上記シーケンス制御ユニットは、さらにタッチ感知の段階で、共通電極駆動ユニットを制御して共通電極に第1のパルス信号を供給してタッチ検出を実現し、ゲート駆動ユニットを制御して上記複数のゲート線に上記第1のパルス信号と同位相の第2のパルス信号を供給するために用いられる。
【００１７】
好ましくは、上記データ線駆動ユニットは、さらに、上記第1のパルス信号と同一周波数の第3のパルス信号を発生するために用いられ、上記シーケンス制御ユニットは、さらに、タッチ感知の段階で、上記データ線駆動ユニットを制御して複数のデータ線に上記第1のパルス信号と同位相の第3のパルス信号を供給するために用いられる。
【００１８】
好ましくは、上記駆動回路は、データ線駆動ユニットと複数のデータ線との間に設置されるスイッチをさらに含み、上記データ線駆動ユニットが、上記スイッチがオンの場合に、データ線に画素電圧を表示信号として供給するために用いられ、上記シーケンス制御ユニットが上記スイッチに接続され、表示の段階で、上記データ線駆動ユニットが上記データ線に画素電圧を供給するように上記スイッチをオンに制御し、さらに、タッチ感知の段階で、上記スイッチをオフに制御して、上記データ線を浮遊状態にさせるために用いられる。
【００１９】
好ましくは、上記駆動回路は、上記共通電圧信号と第1のパルス信号とを発生するための共通電極駆動ユニットと、複数のゲート線に接続され、上記駆動信号を発生するためのゲート駆動ユニットと、複数のデータ線に接続され、表示信号を発生すると共に、上記第1のパルス信号と同一周波数の第3のパルス信号を発生する、又は、複数のデータ線とスイッチにより結合されるためのデータ線駆動ユニットと、上記共通電極駆動ユニットと、ゲート駆動ユニットと、データ線駆動ユニットと接続され、表示の段階で、上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットとを含み、上記シーケンス制御ユニットは、さらにタッチ感知の段階で、共通電極駆動ユニットを制御して共通電極に第1のパルス信号を供給してタッチ検出を実現し、データ線駆動ユニットを制御して上記複数のデータ線に上記第1のパルス信号と同位相の第3のパルス信号を供給する、又は上記スイッチをオフに制御して上記データ線を浮遊状態にさせるために用いられる。
【００２０】
好ましくは、上記駆動回路は、上記ゲート線に直接に接続される。
【００２１】
好ましくは、上記駆動回路は、容量結合により上記ゲート線に接続される。
【００２２】
対応的に、本発明は、タッチパネルディスプレイ装置を駆動するための駆動回路をさらに提供し、上記タッチパネルディスプレイ装置は、第1の基板と、上記第1の基板に対向配置され、上記第1の基板に向ける面にゲート線と、データ線と、薄膜トランジスタとが設置される第2の基板と、上記第1の基板と第2の基板との間に位置する液晶層と、上記第1の基板と第2の基板との間に位置し、タッチ感知の段階でタッチ誘起電極として使用される共通電極とを含み、上記駆動回路は、タッチ感知の段階で、上記共通電極にタッチ検出を実現する第1の信号を供給するための第1の駆動モジュールと、タッチ感知の段階で、上記ゲート線に、上記薄膜トランジスタをオフ状態にさせることができるとともに共通電極とゲート線とからなるコンデンサの充放電量を低減できる第2の信号を供給するための第2の駆動モジュールと、及び／又は、タッチ感知の段階で、上記データ線に共通電極とデータ線とからなるコンデンサの充放電量を低減できる第3の信号を供給するための第3の駆動モジュールとを含む。
【００２３】
好ましくは、上記第2の信号と第1の信号とは同一周波数、同位相のパルス信号である。
【００２４】
好ましくは、記第2の信号と第1の信号とは同一周波数、同位相、同一幅のパルス信号である。
【００２５】
好ましくは、上記第3の信号と第1の信号とが同一周波数、同位相のパルス信号である。
【００２６】
好ましくは、上記第3の信号と第1の信号とが同一周波数、同位相、同一幅のパルス信号である。
【００２７】
好ましくは、上記第3の信号は上記データ線を浮遊状態にさせる信号である。
【００２８】
好ましくは、上記第1の信号、第2の信号又は第3の信号は方形波信号、正弦波信号又は階段信号である。
【００２９】
好ましくは、上記第1の駆動モジュールは、さらに表示の段階で共通電極に共通電圧信号を供給するために用いられ、上記第2の駆動モジュールは、さらに表示の段階でゲート線に駆動信号を供給するために用いられ、上記第3の駆動モジュールは、さらに表示の段階でデータ線に表示信号を供給するために用いられる。
【００３０】
好ましくは、上記駆動回路は、上記共通電圧信号と第1のパルス信号とを発生するための共通電極駆動ユニットと、複数のゲート線に接続され、上記駆動信号を発生すると共に、上記第1のパルス信号と同一周波数の第2のパルス信号を発生するためのゲート駆動ユニットと、複数のデータ線に接続され、表示信号を発生するためのデータ線駆動ユニットと、上記共通電極駆動ユニットと、ゲート駆動ユニットと、データ線駆動ユニットと接続され、表示の段階で上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットとを含み、上記シーケンス制御ユニットは、さらに、タッチ感知の段階で、共通電極駆動ユニットを制御して共通電極に第1のパルス信号を供給してタッチ検出を実現し、ゲート駆動ユニットを制御して上記複数のゲート線に上記第1のパルス信号と同位相の第2のパルス信号を供給するために用いられる。
【００３１】
好ましくは、上記データ線駆動ユニットは、さらに上記第1のパルス信号と同一周波数の第3のパルス信号を発生するために用いられ、上記シーケンス制御ユニットは、さらにタッチ感知の段階で、上記データ線駆動ユニットを制御して複数のデータ線に上記第1のパルス信号と同位相の第3のパルス信号を供給するために用いられる。
【００３２】
好ましくは、上記駆動回路は、データ線駆動ユニットと複数のデータ線との間に設置されるスイッチをさらに含み、上記データ線駆動ユニットは、上記スイッチがオンする場合に、データ線に画素電圧を表示信号として供給するために用いられ、上記シーケンス制御ユニットは、上記スイッチに接続され、表示の段階で、上記データ線駆動ユニットが上記データ線に画素電圧を供給するように上記スイッチをオンに制御し、タッチ感知の段階で、上記スイッチをオフに制御して、上記データ線を浮遊状態にさせるために用いられる。
【００３３】
好ましくは、上記駆動回路は、上記共通電圧信号と第1のパルス信号とを発生するための共通電極駆動ユニットと、複数のゲート線に接続され、上記駆動信号を発生するためのゲート駆動ユニットと、複数のデータ線に接続され、表示信号を発生すると共に上記第1のパルス信号と同一周波数の第3のパルス信号を発生するために用いられる、又は複数のデータ線とスイッチにより連結されるためのデータ線駆動ユニットと、上記共通電極駆動ユニットと、ゲート駆動ユニットと、データ線駆動ユニットと接続され、表示の段階で、上記ゲート駆動ユニットを制御して複数のゲート線に駆動信号を順次に供給し、データ線駆動ユニットを制御してデータ線に表示信号を供給し、共通電極駆動ユニットを制御して共通電極に共通電圧信号を供給するためのシーケンス制御ユニットとを含み、上記シーケンス制御ユニットは、さらに、タッチ感知の段階で、共通電極駆動ユニットを制御して共通電極に第1のパルス信号を供給してタッチ検出を実現し、データ線駆動ユニットを制御して上記複数のデータ線に上記第1のパルス信号と同位相の第3のパルス信号を供給する、又は、上記スイッチをオフに制御して上記データ線を浮遊状態にさせるために用いられる。
【００３４】
好ましくは、上記第1の駆動モジュールは上記ゲート線と直接に接続される。
【００３５】
好ましくは、上記第1の駆動モジュールは容量結合により上記ゲート線に接続される。
【００３６】
対応的に、本発明は、タッチパネルディスプレイ装置を駆動するための駆動方法をさらに提供し、上記タッチパネルディスプレイ装置は、第1の基板と、上記第1の基板に対向配置され、上記第1の基板に向ける面にゲート線と、データ線と、薄膜トランジスタとが設置される第2の基板と、上記第1の基板と第2の基板との間に位置する液晶層と、上記第1の基板と第2の基板との間に位置し、タッチ感知の段階でタッチ誘起電極として使用される共通電極とを含み、上記駆動方法は、表示の段階で、複数のゲート線に駆動信号を順次に供給し、データ線に表示信号を供給し、共通電極の複数の電極に共通電圧信号を供給することと、タッチ感知の段階で、上記共通電極にタッチ検出を実現する第1の信号を供給し、上記共通電極に第1の信号を供給する過程において、さらに、上記ゲート線に、上記薄膜トランジスタをオフ状態にさせることができるとともに共通電極とゲート線とからなるコンデンサの充放電量を低減できる第2の信号を供給すること、及び／又は、上記共通電極に第1の信号を供給する過程において、上記データ線に共通電極とデータ線とからなるコンデンサの充放電量を低減できる第3の信号を供給することとを含む。上記第2の信号と第1の信号とは同一周波数、同位相のパルス信号である。
【００３７】
好ましくは、上記第2の信号と第1の信号とは、同一周波数、同位相、同一幅のパルス信号である。
【００３８】
好ましくは、上記第3の信号と第1の信号とが同一周波数、同位相のパルス信号である。
【００３９】
好ましくは、上記第3の信号と第1の信号とが同一周波数、同位相、同一幅のパルス信号である。
【００４０】
好ましくは、第3の信号は、上記データ線を浮遊状態にさせる信号である。
【００４１】
好ましくは、上記第1の信号、第2の信号又は第3の信号は方形波信号、正弦波信号又は階段信号である。
【発明の効果】
【００４２】
従来技術と比べると、本発明の技術案は以下の利点を有する。
本発明のタッチパネルディスプレイ装置における駆動回路は、タッチ感知の段階で共通電極に第1の信号を供給し、ゲート線に第2の信号及び／又は第3の信号を供給することにより、共通電極とゲート線及び／又はデータ線との間の寄生コンデンサの充放電量を低減することが可能であり、上記寄生コンデンサの充放電量を低減することでコンデンサがタッチ検出に干渉することを低減し、ひいてはタッチ検出の精度を向上させることができる。
【図面の簡単な説明】
【００４３】
【図１】従来技術のインセル型タッチパネル液晶表示装置の模式図である。
【図２】図1における一つのサブ画素セルの等価回路図である。
【図３】従来技術の自己容量タッチ検出機能を兼ねる共通電極の模式図である。
【図４】従来技術で共通電極がタッチ電極として使用されるサブ画素セルの等価回路図である。
【図５】本発明のタッチパネルディスプレイ装置の一実施例の模式図である。
【図６】図5に示すタッチパネルディスプレイ装置の駆動信号の模式図である。
【図７】図5の駆動回路の一実施例の模式図である。
【図８】図5のゲート駆動ユニットの一実施例の模式図である。
【図９】図5の共通電極駆動ユニットの一実施例の模式図である。
【図１０】図5のデータ線駆動ユニットの一実施例の模式図である。
【図１１】本発明のタッチパネルディスプレイ装置の他の一実施例の模式図である。
【発明を実施するための形態】
【００４４】
本発明の上記の目的、特徴及び利点をより明らかに分かりやすくするため、以下、図面と併せて、本発明の具体的な実施例について詳細に説明する。
【００４５】
背景技術に言及された課題を解決するために、本発明は、タッチパネルディスプレイ装置を提案し、図5を参照すると、図５は、本発明のタッチパネルディスプレイ装置の一実施例の模式図を示す。上記タッチパネルディスプレイ装置は、第1の基板（図示せず）と、第2の基板111と、液晶層（図示せず）と、共通電極105と、駆動回路100とを含む。
【００４６】
第1の基板（図示せず）は、カラーフィルター（Color Filter,CF)側のガラス基板として使用される。
【００４７】
第2の基板111は、薄膜トランジスタ（Thin Film Transistor、TFT)側のガラス基板として使用され、上記第1の基板と対向配置される。
【００４８】
上記第2の基板111の第1の基板に向ける面において複数のゲート線G1、G2…GMと、複数のデータ線S1、S2…SNと、薄膜トランジスタ104とがさらに設置される。上記薄膜トランジスタ104のゲートに駆動信号が印加するために、上記薄膜トランジスタ106のドレインが画素電極（図示せず）と接続され、上記複数のゲート線G1、G2…GMが薄膜トランジスタ104のゲートと電気的に接続され、薄膜トランジスタ106のソースに画素電圧を供給するために、上記複数のデータ線S1、S2…SNが薄膜トランジスタ104のソースと接続される。
【００４９】
液晶層（図示せず)は、上記第1の基板と第2の基板111との間に位置する。
【００５０】
共通電極105は、上記第1の基板と第2の基板111との間に位置する。上記共通電極105は、タッチ感知の段階でタッチ誘起電極として使用され、表示の段階で共通電圧（VCOM)の印加に用いられる。具体的に、上記共通電極105は、行列状に配列された複数の電極ユニットを含んでもよく、上記複数の電極ユニットがタッチ感知の際に自己容量の検出を実現する検出電極である。
【００５１】
駆動回路100は、タッチ感知の段階で上記共通電極105にタッチ検出を実現する第1の信号を供給するために用いられ、上記駆動回路100は、さらに、タッチ感知の段階で、上記ゲート線G1、G2…GMに、上記薄膜トランジスタをオフ状態にさせることができるとともに共通電極とゲート線とからなるコンデンサの充放電量を低減できる第2の信号を供給するために用いられ、及び／又は上記駆動回路100は、さらに、タッチ感知の段階で、共通電極とデータ線とからなるコンデンサの充放電量を低減できる第3の信号を供給するために用いられる。
【００５２】
なお、ここで、共通電極105とゲート線（データ線）とからなるコンデンサの充放電量を低減することは、第2の信号（第3の信号）が供給されない際のコンデンサよりも、充放電量が小さくなることを指す。
【００５３】
本実施例のタッチパネルディスプレイ装置は、駆動回路が共通電極に供給する第1の信号、供給する第2の信号（第3の信号）により上記共通電極とゲート線（データ線）との間の寄生コンデンサの充放電量を低減することで、寄生コンデンサがタッチ検出に干渉することを低減し、ひいてはタッチ検出の精度を向上させることが可能である。
【００５４】
図6に示す駆動信号を参考しながら、図5に示す実施例のタッチ表示装置がタッチ検出の精度を向上させることができる原理について説明を行う。
【００５５】
図5に示すように、本実施例において、駆動回路100は、共通電極駆動ユニット103と、ゲート駆動ユニット101と、データ線駆動ユニット102と、シーケンス制御ユニット（図示せず）とを含む。
【００５６】
共通電極駆動ユニット103は、共通電極105に接続され、上記共通電圧信号VCOMと第1のパルス信号201とを発生ために用いられ、上記第1のパルス信号201が上記第1の信号である。ここで、上記第1のパルス信号201は、Lレベルが0Vで、Hレベルが2Vである方形波信号である。上記第1のパルス信号201は、タッチ誘起電極として使用される共通電極に印加され、タッチ検出を実現する検出信号である。
【００５７】
ゲート駆動ユニット101は、複数のゲート線G1、G2…GMに接続され、第2のパルス信号202を発生するために用いられる。上記ゲート駆動ユニット101は、上記ゲート線G1、G2…GMに直接に接続されてもよく、容量結合により上記ゲート線G1、G2…GMに接続されてもよい。
【００５８】
上記第2のパルス信号202は、上記第2の信号であり、ここで、上記第2のパルス信号202は、Lレベルが-12Vで、Hレベルが-10Vである方形波信号である。上記第2のパルス信号202と上記第1のパルス信号201は、同一周波数、同一幅（幅が何れも2V)のパルス信号である。上記第2のパルス信号202は、Hレベルが薄膜トランジスタ104のオン電圧よりも十分小さく、薄膜トランジスタ104をオフ状態にさせることが可能であり、これにより、タッチ感知の段階で液晶セルに印加される信号に影響を与えず、ひいてはタッチパネルディスプレイ装置に正常の表示機能を実現させることができる。
【００５９】
データ線駆動ユニット102は、複数のデータ線S1、S2…SNに接続され、第3のパルス信号203の発生に用いられ、上記第3のパルス信号203が上記第3の信号であり、ここで、上記第3のパルス信号203は、Lレベルが0Vで、Hレベルが2Vである方形波信号であり、上記第3のパルス信号203が上記第1のパルス信号201と同一周波数、同一幅（幅が何れも2V)のパルス信号である。
【００６０】
シーケンス制御ユニット（図示せず）は、上記共通電極駆動ユニット103と、ゲート駆動ユニット101と、データ線駆動ユニット102に接続され、タッチ感知の段階で、共通電極駆動ユニット201を制御して共通電極105に第1のパルス信号を供給してタッチ検出を実現し、そして、ゲート駆動ユニット101を制御して上記複数のゲート線G1、G2…GMに上記第1のパルス信号201と同位相の第2のパルス信号202を供給し、さらにデータ線駆動ユニット102を制御して上記複数のデータ線S1、S2…SNに上記第1のパルス信号201と同位相の第3のパルス信号203を供給するために用いられる。
【００６１】
本実施例のタッチパネルディスプレイ装置の駆動回路100は、タッチ感知の段階で、ゲート駆動ユニット101により複数のゲート線G1、G2…GMに第1のパルス信号201と同一周波数、同位相、同一幅の第2のパルス信号202を供給する。このように、共通電極105とゲート線G1、G2…GMの間にコンデンサを構成しても、上記コンデンサの二つの電極板である共通電極105とゲート線G1、G2…GMとに同一周波数、同位相、同一幅の信号が印加されるので、つまり、任意の時刻でコンデンサの二つの電極板に同じ電圧値が印加されるので、コンデンサが充放電しない。即ち、上記共通電極105とゲート線G1、G2…GMからなるコンデンサの充放電量がゼロである。ゲート線G1、G2…GMに上記第2のパルス信号202を印加しない場合と比較して、充放電量がゼロまで低減される。つまり、共通電極105とゲート線G1、G2…GMとの間のコンデンサは、実際の回路においてタッチ検出に干渉することがなく、ひいては、タッチ検出の精度を向上させることが可能である。
【００６２】
本実施例のタッチパネルディスプレイ装置の駆動回路100は、さらに、タッチ感知の段階で、データ線駆動ユニット102により複数のデータ線S1、S2…SNに第1のパルス信号201と同一周波数、同位相、同一幅の第3のパルス信号203を供給する。このように、共通電極105とデータ線S1、S2…SNとの間にコンデンサを構成しても、上記コンデンサの二つの電極板である共通電極105とデータ線S1、S2…SNに同一周波数、同位相、同一幅の信号が印加され、任意の時刻でコンデンサの二つの電極板に同じな電圧値が印加されるので、コンデンサが充放電しない。即ち、上記共通電極105とデータ線S1、S2…SNとからなるコンデンサの充放電量はゼロである。データ線S1、S2…SNに上記第3のパルス信号203を印加しない場合と比較して、充放電量がゼロまで低減される。つまり、共通電極105とデータ線S1、S2…SNとの間のコンデンサは、実際の回路においてタッチ検出に干渉することがなく、ひいては、タッチ検出の精度を向上させることが可能である。
【００６３】
なお、本実施例における第2のパルス信号202、第3のパルス信号203はいずれも上記第1のパルス信号201と同一周波数、同位相、同一幅の信号であり、共通電極とゲート線（データ線)とからなるコンデンサが充放電しないようにする。しかし、本発明はこれに限定されず、第2のパルス信号202、第3のパルス信号203がいずれも上記第1のパルス信号201と同一周波数、同位相の信号であればよく、任意の時刻でコンデンサの二つの電極板に印加される電圧値が異なっても、二つの電極板の信号が同一周波数、同位相であるので、ゲート線が信号を印加しない場合と比べると、コンデンサの電極板間の電位差を低減し、即ち、共通電極105とゲート線G1、G2…GM(データ線S1、S2…SN)とからなるコンデンサ充放電量の低減の目的を達成することが可能である。
【００６４】
なお、本実施例における第1の信号と、第2の信号と、第3の信号がいずれもパルス信号であり、本発明は、パルス信号であるかどうかに限定されず、共通電極105と、ゲート線G1、G2…GMと、データ線S1、S2…SNに対応して印加される、コンデンサ電力量を低減できる信号であればよい。
【００６５】
なお、本実施例において、上記第1の信号と、第2の信号と、第3の信号とが方形波パルス信号を採用したが、本発明は、これに限定されず、他の実施例には、上記第1の信号と、第2の信号と、第3の信号とが正弦波信号又は階段信号であってもよい。
【００６６】
本実施例のタッチパネルディスプレイ装置における駆動回路100は、共通電極105とゲート線G1、G2…GMとの間の寄生容量の影響を低減することができ、さらに、共通電極105とデータ線S1、S2…SNとの間の寄生容量の影響を低減することもできる。しかし、本発明はこれに限定されず、他の実施例のタッチパネルディスプレイ装置において、上記ゲート駆動ユニット101のみを設置してもよく、共通電極105とゲート線G1、G2…GMとの寄生容量がタッチ検出に干渉することを低減する作用を奏する。対応的に、上記ゲート駆動ユニット101のみを設置する実施例について、シーケンス制御ユニットがゲート駆動ユニット101のみを制御して上記複数のゲート線G1、G2…GMに上記第1のパルス信号201と同位相の第2のパルス信号202を供給すればよい。
【００６７】
又は、他の実施例のタッチパネルディスプレイ装置において、上記データ線駆動ユニット102のみを設置してもよく、共通電極105とデータ線S1、S2…SNとの寄生容量がタッチ検出に干渉することを低減する作用を奏する。対応的に、上記データ駆動ユニット102のみを設置する実施例について、シーケンス制御ユニットがデータ駆動ユニット102のみを制御して上記複数のデータ線S1、S2…SNに上記第1のパルス信号201と同位相の第3のパルス信号203を供給すればよい。
【００６８】
続けて、図5と図6を参考し、本実施例のタッチ表示装置の駆動回路100は駆動表示と駆動タッチ検出との過程を兼ねる。駆動回路100は、駆動表示の回路部分と駆動タッチ検出の回路部分を一体的に集成する。
【００６９】
具体的に、駆動回路100は、さらに、表示の段階でゲート線G1、G2…GMに駆動信号を供給し、データ線S1、S2…SNに表示信号を供給し、共通電極105に共通電圧信号を供給するために用いられる。しかし、本発明はこれに限定されず、他の実施例において、上記駆動回路は、タッチ検出を駆動する回路部分の機能のみを備えてもよく、タッチ感知の段階で寄生容量干渉を低減する作用を奏することができればよい。
【００７０】
具体的に、上記駆動回路100は、表示の段階とタッチ感知の段階を時分割駆動するためのトータルシーケンスコントローラ（図示せず）を有する。タッチ感知の段階の駆動回路100については、上記の記述を参照してここでは重複しない。以下、表示の段階の駆動回路100の作動形態について詳細に紹介する。
【００７１】
図6に示すように、上記駆動回路100のゲート駆動ユニット101は、さらに上記駆動信号の発生に用いられる。具体的に、ここで、駆動回路はゲート線G1、G2、G3…GMのシーケンスパルス信号を順序に駆動し、上記パルス信号はHレベルが15Vで、Lレベルが0であるパルス信号である。
【００７２】
データ線駆動ユニット102は、さらに表示信号Dの発生に用いられる。
【００７３】
共通電極駆動ユニット103は、さらに共通電圧信号VCOMに用いられる。
【００７４】
シーケンス制御ユニットは、上記共通電極駆動ユニット103と、ゲート駆動ユニット101と、データ線駆動ユニット102と接続され、表示の段階で、上記ゲート駆動ユニット101を制御して複数のゲート線G1、G2、G3…GMに駆動信号を順次に供給し、データ線駆動ユニット102を制御してデータ線S1、S2…SNに表示信号Dを供給し、共通電極駆動ユニット103制御して共通電極105に共通電圧信号VCOMを供給するために用いられ、上記シーケンス制御ユニットは、さらに、タッチ感知の段階で、共通電極駆動ユニット103を制御して共通電極105に第1のパルス信号201を供給してタッチ検出を実現し、そして、ゲート駆動ユニット101を制御して上記複数のゲート線G1、G2、G3…GMに上記第1のパルス信号201と同位相の第2のパルス信号202を供給するために用いられ、上記シーケンス制御ユニットは、さらに、タッチ感知の段階で、上記データ線駆動ユニット102を制御して複数のデータ線S1、S2…SNに上記第1のパルス信号201と同位相の第3のパルス信号202を供給するために用いられる。
【００７５】
具体的回路と併せて、駆動回路100についてさらに説明を行う。
【００７６】
図7を参考して、図5に示す駆動回路の一実施例の模式図を示した。本実施例における駆動回路100は、スクリーン本体上（図5において破線フレームで示す領域がスクリーン本体である）に設置されるスクリーン上ゲート回路106をさらに含む。なお、ここで、解像度が1280×720RGBであるタッチパネルディスプレイ装置を例とする。スクリーン本体上に左右で640本のゲート線ずつを発生し、具体的に、上記スクリーン上ゲート回路106は、640個のRS Cellサブ回路（上記RS Cellがラッチとして使用される）が接続されて構成され、RS Cellサブ回路におけるVGL端子がゲート線に印加されて薄膜トランジスタTFTをオフにするための電圧源であり、CK端子がクロック入力信号であり、SP端子がデータ入力端子、OUTが出力端子である。
【００７７】
ゲート駆動ユニット101がRS Cellサブ回路に供給する必要があるロジック制御信号は、CK1_L、CK2_L、SP_L、CK1_R、CK2_R、SP_R、VGLOを含み、ゲート線G1、G2、G3…GM(Mが1280である)に対する駆動を実現するようにする。
【００７８】
図8を参考して、図5におけるゲート駆動ユニット101の一実施例の模式図を示した。上記ゲート駆動ユニット101は、チャージポンプ1012と、電圧レギュレータ1013と、複数の高圧駆動ユニット1015と、電源信号ユニット1014と、シーケンス制御ユニット1011とを含む。
【００７９】
チャージポンプ1012は、薄膜トランジスタを駆動してオンさせる第1の電圧VGH(15V)を出力するための第1の出力端子と、薄膜トランジスタをオフに制御する第2の電圧VGL1(-12V)を出力するための第2の出力端子とを含む。
【００８０】
電圧レギュレータ1013は、上記チャージポンプ1012の第2の出力端子に接続され、チャージポンプ1012の出力する第2の電圧を調整し、第3の電圧VGL2(-10V)を形成するために用いられ、上記第2の電圧と上記第3の電圧がそれぞれ上記第2のパルス信号202のLレベルとHレベルとに対応する。
【００８１】
複数の高圧駆動ユニット1015は、入力端子が上記チャージポンプ1012の第1の出力端子と、第2の出力端子と、電圧レギュレータ1013と接続され、出力端子がRS Cellサブ回路のデータ入力端子SP端子、CK端子に接続され、ロジック制御信号CK1_L、CK2_L、SP_L、CK1_R、CK2_R、SP_Rの出力に用いられる。
【００８２】
具体的に、上記高圧駆動ユニット1015は、ソースが上記チャージポンプ1012の第1の出力端子に接続され（第1の電圧VGHが印加され)、ゲートが第1のシーケンスコントローラ（図示せず）に接続される第1のPMOSトランジスタP1と、ソースが上記チャージポンプ1012の第2の出力端子に接続され（第2の電圧VGLが印加され)、ゲートが上記第3のシーケンスコントローラと第2のシーケンスコントローラに接続される第1のNMOSトランジスタN1Aと、ソースが上記電圧レギュレータ1013に接続され（第3の電圧VGL2が印加され)、ゲートが第2のシーケンスコントローラに接続され、ドレインが上記第1のNMOSトランジスタN1Aのドレインと、上記第1のPMOSトランジスタP1のドレインに接続される第2のNMOSトランジスタN1Bとを含む。
【００８３】
電源信号ユニット1014は、入力端子が上記チャージポンプ1012の第2の出力端子と電圧レギュレータに接続され、出力端子が上記複数のRS Cellサブ回路の電圧源VGL入力端子に接続される。
【００８４】
具体的に、上記電源信号ユニット1014は、ソースが上記チャージポンプ1012の第3の出力端子に、ゲートが第2のシーケンスコントローラに接続される第3のNMOSトランジスタN2Aと、ソースが上記電圧レギュレータ1013の出力端子に接続され、ゲートが上記二つのシーケンスコントローラに接続され、ドレインが上記第3のNMOSトランジスタのドレインに接続される第4のNMOSトランジスタN2Bとを含む。
【００８５】
シーケンス制御ユニット1011は、上記高圧駆動ユニット1015に接続され、それぞれ上記複数のゲート線に上記第1の電圧VGHと第2の電圧VGL1とを時分割に印加し、複数のゲート線に表示の段階で要する駆動信号を時分割に供給するように、上記高圧駆動ユニット1015を駆動して上記第1の電圧VGHと第2の電圧VGL1とを交互に出力するための第1のシーケンスコントローラ（図示せず)を含む。
【００８６】
シーケンス制御ユニット1011は、上記高圧駆動ユニット1015と上記電源信号ユニット1014に接続され、上記電源信号ユニット1014を駆動して上記第2の電圧VGL1と第3の電圧VGL2をRS Cellサブ回路の電圧源VGL入力端子に交互に出力するための第2のシーケンスコントローラをさらに含み、上記第2のシーケンスコントローラは、さらに、上記RS Cellサブ回路の電圧源VGL入力端子の信号がRS Cellサブ回路の出力端子OUTに出力され、複数のゲート線にタッチ感知の段階で要する第2のパルス信号202を出力するように、上記高圧駆動ユニット1015を制御して上記第2の電圧VGL1と第3の電圧VGL2をRS Cellサブ回路のデータ入力端子SPに交互に出力するために用いられる。
【００８７】
上記シーケンス制御ユニット1011は、上記第1のシーケンスコントローラと第2のシーケンスコントローラに接続され、表示の段階で上記第1のシーケンスコントローラを制御して駆動させ、タッチ感知の段階で上記第2のシーケンスコントローラを制御して駆動させるためのトータルシーケンスコントローラ（図示せず）をさらに含む。
【００８８】
図9を参考して、図5におけるデータ線駆動ユニットの一実施例の模式図を示した。具体的に、上記データ線駆動ユニットは、シーケンス制御ユニット1011及び複数のデータ線信号バッファ1023を含み、上記複数のデータ線信号バッファ1023が複数のデータ線S1、S2…SNに一対一に対応する。
【００８９】
上記データ線信号バッファ1023は、正極性駆動回路1021と、負極性駆動回路1022とを含み、
上記正極性駆動回路1021は、出力端子が上記対応のデータ線に接続され、液晶分子を第1の方向へ偏向させる第1の画素電圧を上記表示信号として発生するために用いられ、上記正極性駆動回路1021の出力端子寄りにおいて第1のスイッチT1Aが設置されている。
上記負極性駆動回路1022は、出力端子が上記対応のデータ線に接続され、液晶分子を第2の方向へ偏向する第2の画素電圧を表示信号として発生するために用いられ，上記負極性駆動回路の出力端子寄りにおいて第2のスイッチT1Dが設置されている。
【００９０】
上記データ線駆動ユニットは、一端が電圧源VSP(VSPの電圧が2Vである)に接続され、他端がデータ線駆動ユニットの出力端子に接続される第3のスイッチT1Bと、一端がグランドに接続され、他端がデータ線駆動ユニットの出力端子に接続される第4のスイッチT1Cとをさらに含む。
【００９１】
上記シーケンス制御ユニット1011は、トータルシーケンスコントローラにより表示の段階で駆動され、上記正極性駆動回路1021と、負極性駆動回路1022に接続され、上記正極性駆動回路、負極性駆動回路がそれぞれ第1の画素電圧、第2の画素電圧を出力するように、第1のスイッチT1Aのオン、第2のスイッチT1Dのオンを交互に駆動するための第3のシーケンスコントローラ（図示せず）をさらに含む。
【００９２】
上記シーケンス制御ユニット1011は、トータルシーケンスコントローラによりタッチ感知の段階で駆動され、第3のスイッチT1Bのオン（図示せず）、第4のスイッチT1Cのオンを交互に駆動して、Hレベルが電圧源電圧で、Lレベルがゼロである上記第3のパルス信号203を時分割に出力するための第4のシーケンスコントローラをさらに含む。
【００９３】
図10を参考して、図9は図1の共通電極駆動ユニットの一実施例の模式図である。上記共通電極駆動ユニットは、
第1のスイッチK1A、K2A…KNAを介して共通電極105の複数の電極にそれぞれ接続され、上記第1のスイッチK1A、K2A…KNAがオンする場合に、上記複数の電極に第1のパルス信号を印加して、タッチ検出を実現するためのタッチ検出回路1033と、
第2のスイッチK1B、K2B…KNBを介して共通電極105の複数の電極にそれぞれ接続され、上記第2のスイッチK1B、K2B…KNBがオンする場合に、上記複数の電極に共通電圧信号を印加するための共通電極駆動バッファ1032とを含む。
【００９４】
シーケンス制御ユニット1011は、上記第1のスイッチK1A、K2A…KNAと上記第2のスイッチK1B、K2B…KNBに接続され、タッチ感知の段階で、上記第1のスイッチK1A、K2A…KNAを駆動してオンさせることにより、タッチ検出回路1033が共通電極105の複数の電極に対して自己容量検出を行うために用いられ、さらに、表示の段階で、上記第2のスイッチK1B、K2B…KNBを駆動してオンさせることにより、共通電極駆動バッファ1032が共通電極105の複数の電極に共通電圧信号を供給するために用いられる。
【００９５】
なお、図8、図9、図10はそれぞれゲート駆動ユニット101、データ線駆動ユニット102、共通電極駆動ユニット103の一つの具体的な実現回路であるが、本発明はこれに限定されず、他の実施例において、上記ゲート駆動ユニット101、データ線駆動ユニット102、共通電極駆動ユニット103は、他の回路を採用してもよい。
【００９６】
また、他の実施例において、上記駆動回路のゲート駆動ユニット（又はデータ線駆動ユニット)は、表示機能のみを実現してもよく、タッチ感知の段階でデータ線駆動回路がデータ線に（又はゲート線駆動回路がゲート線に)第1の信号に対応するパルス信号を供給し、即ちデータ線（又はゲート線）と共通電極との寄生容量がタッチ検出に干渉することを低減するだけで、タッチ検出精度の向上の目的を実現することができる。
【００９７】
なお、上記の実施例において、第3の信号は駆動回路がデータ線に供給する信号であり、データ線に印加された第3の信号と共通電極に印加された第1の信号によりコンデンサの充放電量を低減する。しかし、本発明はこれに限定されず、他の実施例において、上記第3の信号はデータ線に印加されない信号であってもよい。
【００９８】
図11を参考して、本発明のタッチパネルディスプレイ装置の他の一実施例の模式図を示した。本実施例と図5に示す実施例との一致点については、ここで重複しない。図5に示す実施例と異なる点は、駆動回路とデータ線との間がスイッチ（図示せず）により結合されることにあり、本実施例の第3の信号303が上記スイッチをオフに制御する信号であり、データ線をタッチ感知の段階で浮遊状態にさせることが可能である。ここで、上記浮遊状態の意味とは、元の表示の段階で駆動回路に接続されたデータ線をタッチ感知の段階でオフさせることを指す。
【００９９】
このように、データ線はタッチ感知の段階で駆動回路と切断して何の信号も印加しないので、タッチ感知の段階で、共通電極とデータ線とからなるコンデンサにおいて、データ線に対応する電極板が何のデバイスにも接続されず、コンデンサが充放電を行うことがなく、これにより、充放電量を低減し、タッチ検出の精度を向上させる。
【０１００】
具体的に、表示機能とタッチ検出機能とを兼ねる駆動回路について、駆動回路と前の一実施例との一致点はここでは重複しない。駆動回路と前の一実施例とが異なる点は、駆動回路は、データ線駆動ユニットと複数のデータ線との間に設置されるスイッチをさらに含み、上記データ線駆動ユニットは、上記スイッチがオンする場合に、データ線に画素電圧を表示信号として供給するために用いられ、上記シーケンス制御ユニットが上記スイッチに接続され、表示の段階で、上記データ線駆動ユニットが上記データ線に画素電圧を供給するように、上記スイッチをオンに制御し、さらに、タッチ感知の段階で、第3の信号303により上記スイッチをオフに制御して、上記データ線を浮遊状態にさせるために用いられることにある。タッチ感知の段階で、データ線と共通電極との寄生容量がタッチ検出に干渉することを低減する。
【０１０１】
なお、図11に示す実施例において、ゲート駆動ユニットが上記複数のゲート線G1、G2、G3…GMに上記第1のパルス信号301と同一周波数、同位相、同一幅の第2のパルス信号302をさらに供給して、共通電極と、ゲート線及びデータ線との寄生容量の干渉を同時に低減する。他の実施例において、上記駆動回路のゲート駆動ユニットは、表示機能のみを実現してもよく、タッチ感知の段階で駆動回路がデータ線を浮遊状態にさせ、即ち、データ線と共通電極との寄生容量がタッチ検出に干渉することを低減するだけで、タッチ検出の精度の向上の目的を実現することができる。
【０１０２】
対応的に、本発明は、駆動回路をさらに提供し、タッチパネルディスプレイ装置に応用され、上記タッチパネルディスプレイ装置は、第1の基板と、上記第1の基板に対向配置され、上記第1の基板に向ける面にゲート線と、データ線と、薄膜トランジスタとが設置される第2の基板と、上記第1の基板と第2の基板との間に位置する液晶層と、上記第1の基板と第2の基板との間に位置し、タッチ感知の段階でタッチ誘起電極として使用される共通電極とを含む。
【０１０３】
上記駆動回路は、タッチ感知の段階で、上記共通電極にタッチ検出を実現する第1の信号を供給するための第1の駆動モジュールと、タッチ感知の段階で、上記ゲート線に、上記薄膜トランジスタをオフ状態にさせることができるとともに共通電極とゲート線とからなるコンデンサの充放電量を低減できる第2の信号を供給するための第2の駆動モジュールと、及び／又は、タッチ感知の段階で、共通電極とデータ線とからなるコンデンサの充放電量を低減できる第3の信号を供給するための第3の駆動モジュールとを含む。
【０１０４】
具体的に、上記第1の駆動モジュールは、共通電極駆動ユニット及びシーケンス制御ユニットが共通電極駆動ユニットを駆動する部分を含み、上記第2の駆動モジュールは、ゲート駆動ユニット及びシーケンス制御ユニットがゲート駆動ユニットを駆動する部分を含み、上記第3の駆動モジュールは、データ線駆動ユニット及びシーケンス制御ユニットがデータ線駆動ユニットを駆動する部分を含む。
【０１０５】
駆動回路に関する記述は、タッチパネルディスプレイ装置の関連実施例において記述したので、ここでは重複しない。
【０１０６】
本発明は、タッチパネルディスプレイ装置を駆動するための駆動方法を提供し、上記タッチパネルディスプレイ装置は、第1の基板と、上記第1の基板に対向配置され、上記第1の基板に向ける面にゲート線と、データ線と、薄膜トランジスタとが設置される第2の基板と、上記第1の基板と第2の基板との間に位置する液晶層と、上記第1の基板と第2の基板との間に位置し、タッチ感知の段階でタッチ誘起電極として使用される共通電極とを含む。
【０１０７】
上記駆動方法は、
表示の段階で、複数のゲート線に駆動信号を順次に供給し、データ線に表示信号を供給し、共通電極の複数の電極に共通電圧信号を供給することと、
タッチ感知の段階で、上記共通電極にタッチ検出を実現する第1の信号を供給し、上記共通電極に第1の信号を供給する過程において、さらに、上記ゲート線に、上記薄膜トランジスタをオフ状態にさせることができるとともに共通電極とゲート線とからなるコンデンサの充放電量を低減できる第2の信号を供給し、及び／又は、上記共通電極に第1の信号を供給する過程において、共通電極とデータ線とからなるコンデンサの充放電量を低減できる第3の信号を供給することとを含む。
【０１０８】
本発明の駆動方法は、タッチ感知の段階で共通電極に第1の信号を供給し、ゲート線に第2の信号及び／又は第3の信号を供給することにより、共通電極とゲート線及び／又はデータ線との寄生コンデンサの充放電量を低減することが可能であり、上記寄生コンデンサの充放電量を低減することで、寄生コンデンサがタッチ検出に干渉することを低減し、ひいてはタッチ検出の精度を向上させることが可能である。
【０１０９】
好ましくは、上記第2の信号と第1の信号が同一周波数、同位相、同一幅のパルス信号であり、共通電極とゲート線とからなるコンデンサが充放電を行わず、即ち、充放電量がゼロに低減される。しかし、本発明はこれに限定されず、他の実施例において、上記第2の信号と第1の信号が同一周波数、同位相のパルス信号であってもよく、充放電量を低減することもできる。
【０１１０】
好ましくは、第3の信号を供給するステップにおいて、上記データ線に上記第3の信号を供給し、上記第3の信号と第1の信号が同一周波数、同位相、同一幅のパルス信号であり、共通電極とデータ線とからなるコンデンサが充放電を行わず、即ち、充放電量がゼロに低減される。しかし、本発明はこれに限定されず、他の実施例において、上記第3の信号と第1の信号とが同一周波数、同位相のパルス信号であってもよく、充放電量を低減することもできる。
【０１１１】
好ましくは、上記第3の信号はデータ線に印加される信号ではなくてもよく、上記第3の信号がデータ線を浮遊状態にさせる信号であってもよい。具体的に、データ線と駆動回路との間がスイッチにより結合されてもよく、上記第3の信号が上記駆動回路とデータ線とをオフに制御する信号であり、データ線を浮遊状態にさせすることにより、共通電極とデータ線とからなるコンデンサが充放電を行わず、即ち、充放電量がゼロに低減されてもよい。
【０１１２】
本発明駆動方法は、第1の信号、第2の信号又は第3の信号の形式に限定されず、方形波信号、正弦波信号又は階段信号等のパルス信号であってもよく、パルス信号ではなくてもよい。
【０１１３】
なお、本発明の駆動方法は、本発明の駆動回路により実行されてもよく、他の駆動回路を採用して実行されてもよく、本発明はこれに限定されない。
【０１１４】
本発明は上記のように説明したが、本発明はこれに限定されない。当業者は、本発明の精神および範囲から逸脱することなく、様々な変更および修正を行うことができる。従って、本発明の保護範囲は請求項の範囲に限定されるものを基準とする。
【図１】
2017507436.tif 000003
【図２】
2017507436.tif 000004
【図３】
2017507436.tif 000005
【図４】
2017507436.tif 000006
【図５】
2017507436.tif 000007
【図６】
2017507436.tif 000008
【図７】
2017507436.tif 000009
【図８】
2017507436.tif 000010
【図９】
2017507436.tif 000011
【図１０】
2017507436.tif 000012
【図１１】
2017507436.tif 000013
【国際調査報告】
2017507436.tif 000014
2017507436.tif 000015
2017507436.tif 000016
2017507436.tif 000017
2017507436.tif 000018